(57)【要約】【課題】透明な素子基板を有するＧａＮ系ＬＥＤチップを用いた発光装置の、更なる出力の向上を図ること。【解決手段】発光装置１００は、おもて面２１ａおよび裏面２１ｂを有する透明な板材２１と、板材２１のおもて面２１ａ上に固定されたＧａＮ系ＬＥＤチップ３０と、を含んでいる。ＧａＮ系ＬＥＤチップ３０は、透明な素子基板３１と、素子基板３１上に形成されたＧａＮ系半導体のエピタキシャル膜３２と、エピタキシャル膜３２上に形成された正電極および負電極とを有している。板材２１と素子基板３１とは、お互いが光学的に結合されるように接着されている。板材の裏面２１ｂは、１μｍ×１μｍの領域のＲＭＳ粗さが２ｎｍ以下である。裏面２１ｂ上には反射膜Ｒが形成されている。【選択図】図１
2009123909.tif 000002
【特許請求の範囲】
【請求項１】
おもて面および裏面を有する透明な板材と、該板材のおもて面上に固定されたＧａＮ系ＬＥＤチップと、を含み、
該ＧａＮ系ＬＥＤチップは、透明な素子基板と、該素子基板上に形成されたＧａＮ系半導体のエピタキシャル膜と、該エピタキシャル膜上に形成された正電極および負電極とを有し、
前記板材と前記素子基板とは、お互いが光学的に結合されるように接着されており、
前記板材の裏面は、１μｍ×１μｍの領域のＲＭＳ粗さが２ｎｍ以下であり、
該裏面上には反射膜が形成されている、
発光装置。
【請求項２】
おもて面および裏面を有する透明な板材と、該板材のおもて面上に固定されたＧａＮ系ＬＥＤチップと、を含み、
該ＧａＮ系ＬＥＤチップは、透明な素子基板と、該素子基板上に形成されたＧａＮ系半導体のエピタキシャル膜と、該エピタキシャル膜上に形成された正電極および負電極とを有し、
前記板材と前記素子基板とは、お互いが光学的に結合されるように接着されており、
前記板材の裏面は平坦化処理されており、
該裏面上には反射膜が形成されている、
発光装置。
【請求項３】
ＧａＮ系ＬＥＤチップを固定すべきおもて面と、該おもて面に対向する裏面と、を有する透明な板材を備え、
前記板材の裏面は、１μｍ×１μｍの領域のＲＭＳ粗さが２ｎｍ以下であり、
該裏面上には反射膜が形成されている、
サブマウント。
【請求項４】
ＧａＮ系ＬＥＤチップを固定すべきおもて面と、該おもて面に対向する裏面と、を有する透明な板材を備え、
前記板材の裏面は平坦化処理されており、
該裏面上には反射膜が形成されている、
サブマウント。
【請求項５】
ウェハサイズの透明基板の一方の面を平坦化処理するステップと、
前記透明基板の前記平坦化処理した面上に反射膜を形成するステップと、
前記反射膜を形成した前記透明基板をサブマウントのサイズに切り分けるステップと、
を有する、
ＧａＮ系ＬＥＤチップを固定するためのサブマウントの製造方法。
【請求項６】
ウェハサイズの透明基板の一方の面を平坦化処理するステップと、
前記透明基板の前記平坦化処理した面上に反射膜を形成するステップと、
前記反射膜を形成した前記透明基板をサブマウントのサイズに切り分けるステップと、
前記透明基板の他方の面上にＧａＮ系ＬＥＤチップを固定するステップと、
を有し、
前記ＧａＮ系ＬＥＤチップは、透明な素子基板と、該素子基板上に形成されたＧａＮ系半導体のエピタキシャル膜と、該エピタキシャル膜上に形成された正電極および負電極とを有し、
前記固定するステップでは、前記透明基板と前記素子基板とを、お互いが光学的に結合されるように接着する、
発光装置の製造方法。
【発明の詳細な説明】
【技術分野】
【０００１】
本発明は、主として、ＧａＮ系ＬＥＤチップを用いた発光装置に関する。
【背景技術】
【０００２】
ＧａＮ系半導体は、化学式ＡｌａＩｎｂＧａ１−ａ−ｂＮ（０≦ａ≦１、０≦ｂ≦１、０≦ａ＋ｂ≦１）で表される化合物半導体であり、３族窒化物半導体、窒化物系半導体などとも呼ばれる。ｐｎ接合構造、ダブルヘテロ構造、量子井戸構造などの発光素子構造をＧａＮ系半導体で構成したＧａＮ系ＬＥＤは、緑色〜近紫外の光を発生することが可能である。
【０００３】
典型的なＧａＮ系ＬＥＤチップは、サファイアからなる透明な素子基板と、該素子基板上に形成されたＧａＮ系半導体のエピタキシャル膜と、該エピタキシャル膜上に形成された正電極と負電極と、を有している。発光装置を構成するには、このようなＧａＮ系ＬＥＤチップを、セラミックパッケージ、樹脂パッケージ、リードフレーム、金属ベース、セラミックベース、回路基板などの実装用部材に固定し、ＬＥＤチップの正電極および負電極のそれぞれをボンディングワイヤにより外部端子と接続する。外傷などから保護するために、ＬＥＤチップは、好ましくは、透明な樹脂またはガラスで被覆される。この樹脂またはガラス中に蛍光体を分散させることにより、白色発光装置を得ることができる。
特許文献１では、透明な素子基板を有するＧａＮ系ＬＥＤチップを用いた発光装置において、出力や配光特性を改善するために、ＬＥＤチップを透明部材を介して実装用部材に固定することが提案されている（特許文献１）。
【特許文献１】特開２００４−２５３６５１号公報
【発明の開示】
【発明が解決しようとする課題】
【０００４】
本発明の主たる目的は、透明な素子基板を有するＧａＮ系ＬＥＤチップを用いた発光装置の、更なる出力の向上を図ることである。
【課題を解決するための手段】
【０００５】
本発明の発光装置は、おもて面および裏面を有する透明な板材と、該板材のおもて面上に固定されたＧａＮ系ＬＥＤチップと、を含む。このＧａＮ系ＬＥＤチップは、透明な素子基板と、該素子基板上に形成されたＧａＮ系半導体のエピタキシャル膜と、該エピタキシャル膜上に形成された正電極および負電極とを有する。前記透明な板材と、ＧａＮ系ＬＥＤチップの素子基板とは、お互いが光学的に結合されるように接着される。
【０００６】
本発明の発光装置において、一枚の透明な板材のおもて面上に固定されるＧａＮ系ＬＥＤチップの数は、１個であってもよいし、複数個であってもよい。また、本発明の発光装置は、おもて面上に１個または複数個のＧａＮ系ＬＥＤチップが固定された透明な板材を、１枚だけ含むものであってもよいし、２枚以上含むものであってもよい。
【０００７】
本発明の発光装置に用いる透明な板材は、その上に固定されるＧａＮ系ＬＥＤチップの主発光波長に対応するエネルギーよりも大きなエネルギーギャップを有する材料で形成される。この透明な板材は、好ましくは、無色透明である。無色透明な板材は、白色発光装置に用いた場合に、蛍光体から放射される可視光を実質的に吸収しない。
透明な板材の好ましい素材は、金属酸化物もしくは金属窒化物の単結晶、または、ガラス（石英ガラス、ホウケイ酸ガラスなど）である。
【０００８】
本発明の好適な実施形態では、透明な板材のおもて面の表面粗度が、裏面の表面粗度よりも大きくされる。それによって、板材の内部に伝播した光が、板材のおもて面を通して板材の外部に脱出する確率が高くなる。ここでいう表面粗度の指標には、自乗平均粗さ（Ｒｍｓ）を用いればよい。
【０００９】
本発明の好適な実施形態では、透明な板材の裏面上に反射膜を形成する。この反射膜は、板材のおもて面側からこの裏面に入射した光を、再び、おもて面側に向けて反射させることを、目的とするものである。発光装置を形成するにあたっては、透明な板材の裏面側を接着剤を用いて実装用部材に接着するが、かかる反射膜を設けることによって、この接着剤が受けるＧａＮ系ＬＥＤチップの放射が弱められ、その劣化が抑制される。また、かかる反射膜の設置により、接着剤による光の吸収が抑制されるため、発光効率の向上効果も期待できる。樹脂材料はＧａＮ系ＬＥＤチップの放射に含まれる短波長成分によって劣化し易いうえ、劣化により着色する傾向を持つことから、この反射膜の設置は、接着剤が樹脂成分を含有する場合に特に有効である。
【００１０】
上記反射膜は、金属膜であってもよいし、誘電体膜であってもよい。誘電体膜の場合、反射性を向上させる効果があるものであれば、多層膜であってもよいし単層膜であってもよい。上記の反射膜は、誘電体膜上に金属膜を積層したものであってもよい。
【００１１】
上記反射膜の形成は、該裏面の平坦性を可能な限り高くしたうえで行うことが望ましい。例えば、乾式メッキ（蒸着、スパッタ等）または湿式メッキによって金属反射膜を形成する場合、板材の裏面の平坦性が良好である程、反射膜に形成される反射面（板材の裏面に接する面）の平坦が良好となり、その反射率が高くなる。また、蒸着やスパッタにより誘電体反射膜を形成する場合には、板材の裏面の平坦性を良好にしておくことで、反射膜の膜厚の制御性が良好となり、また、形成される膜の厚さの均一性が良好となるので、反射膜の反射率を高くすることができる。
従って、上記板材の裏面の平坦性については、ＡＦＭ（原子間力顕微鏡）を用いて測定される１μｍ×１μｍの領域のＲＭＳ粗さが２ｎｍ以下であることが好ましく、１ｎｍ以下であることがより好ましく、０．５ｎｍ以下であることが特に好ましい。
【発明の効果】
【００１２】
本発明が提供する発光装置は、発光出力に優れたものとなるので、屋内外の照明や自動車のヘッドライトをはじめとする、高出力が要求される用途に、好適に用いることができる。
【発明を実施するための最良の形態】
【００１３】
図１は本発明の一実施形態に係る発光装置の断面図である。この図に示す発光装置１００は、ＳＭＤ（表面実装）型ＬＥＤであり、パッケージ１１に設けられたキャビティ（カップ状部分）の底面上にサブマウント２０が接着剤（図示せず）を用いて固定されており、そのサブマウント２０上の一部にＧａＮ系ＬＥＤチップ３０が接着剤（図示せず）を用いて固定されている。
パッケージ１１は、セラミック（アルミナ、ＡｌＮなど）、白色樹脂などで形成されたパッケージ基板１１１と、二つのパッケージ電極１１２とを有している。１１３はリフレクタであり、この例では、パッケージ基板１１１とは別個の部材となっているが、パッケージ基板と一体的に形成することもできる。
サブマウント２０は、透明な板材２１と、その裏面２１ｂ上に形成された反射膜Ｒとを有している。サブマウント２０とパッケージ基板１１１との接着に用いられる接着剤は、例えば、銀ペーストである。
サブマウント２０の上に固定されたＧａＮ系ＬＥＤチップ３０は、透明な素子基板３１と、その上に形成された、ｐ型層およびｎ型層を含むＧａＮ系半導体のエピタキシャル膜３２とを有しており、そのエピタキシャル膜３２上に、正負の電極が形成されている。正電極は、透明導電性酸化物（ＴＣＯ：Transparent Conductive Oxide）からなる透明電極３３ａと、その一部上に形成された正側のボンディングパッド３３ｂとから構成されている。負電極も、ＴＣＯからなる透明電極３４ａと、その一部上に形成された負側のボンディングパッド３４ｂとから構成されている。
サブマウント２０の透明な板材２１と、ＧａＮ系ＬＥＤチップ３０の素子基板３１とは、相互間が光学的に結合されるように、透明な接着剤を用いて接着されている。好ましい接着剤として、透明樹脂、低融点ガラスなどを主成分とする接着剤が例示される。
ＧａＮ系ＬＥＤチップ３０の正電極および負電極のそれぞれは、Ａｕ、Ｃｕ、Ａｌなどからなるボンディングワイヤ４０により、パッケージ電極１１２と接続されている。
【００１４】
発光装置１００において、ＧａＮ系ＬＥＤチップ３０を透明樹脂により被覆することができる。その場合、パッケージ基板１１１とリフレクタ１１３とで構成されるキャビティを、透明樹脂で充たしてもよい。ＧａＮ系ＬＥＤチップ３０を覆う透明樹脂中に蛍光体を分散することによって、白色発光装置（白色ＬＥＤ）を構成することができる。ここでいう透明樹脂は、透明なガラスに置き換えることができる。
発光装置１００において、パッケージ１１のキャビティ内に樹脂を封入せず、キャビティの開口部を密閉する透明な蓋を設けることにより、ＧａＮ系ＬＥＤチップ３０を気密封止することも可能である。この蓋は、ガラス、樹脂等により形成することができる。この蓋の表面や内部に蛍光体層を設けることにより白色発光装置を構成することができる。
その他、発光装置１００において、ＧａＮ系ＬＥＤチップ３０の表面を透明な樹脂またはガラスで被覆したうえで、パッケージ１１のキャビティ内に空隙が残るように、その開口部を塞ぐ透明な蓋を設け、その蓋の表面や内部に蛍光体層を設けることにより白色発光装置を構成することなども可能である。
【００１５】
発光装置１００は、パッケージ１１上にサブマウント２０を接着するステップと、サブマウント２０上にＧａＮ系ＬＥＤチップ３０を接着するステップと、ＧａＮ系ＬＥＤチップ３０の電極（ボンディングパッド３３ｂ、３４ｂ）とパッケージ電極１１２とをボンディングワイヤ４０で接続するステップとを、この順に実行することにより製造することができる。
他の製造手順として、サブマウント２０上にＧａＮ系ＬＥＤチップ３０を接着するステップと、ＧａＮ系ＬＥＤチップ３０が接着されたサブマウント２０をパッケージ１１上に接着するステップと、ＧａＮ系ＬＥＤチップ３０の電極とパッケージ電極１１２とをボンディングワイヤ４０で接続するステップとを、この順に実行することもできる。
【００１６】
図２は本発明の他の一実施形態に係る発光装置の断面図である。この図に示す発光装置２００は、チップオンボード（ＣＯＢ）型ユニットであり、銅ベース１２１の一部上に一般的な回路基板１２２が圧着されてなる銅ベース基板１２上に、サブマウント２０を介して、ＧａＮ系ＬＥＤチップ３０が固定されている。サブマウント２０は、透明な板材２１と、その裏面２１ｂ上に形成された反射膜Ｒとを有しており、その反射層Ｒ側が銅ベース１２１に接着剤（図示せず）を用いて接着されている。
サブマウント２０の透明な板材２１と、ＧａＮ系ＬＥＤチップ３０の透明な素子基板３１とは、相互間が光学的に結合されるように、透明樹脂、低融点ガラスなどを主成分とする透明な接着剤を用いて、接着されている。ＧａＮ系ＬＥＤチップ３０の電極（ボンディングパッド３３ｂ、３４ｂ）と回路基板１２２とは、ボンディングワイヤ４０により接続されている。
回路基板１２２は、ガラスエポキシ基板などの絶縁基板とその上に形成された導体回路、ボンディングパッドなどを有するものであるが、図２ではこれらの図示を省略している。
図２に示す発光装置の出力は、サブマウント２０の反射層Ｒの反射率を、銅ベースの表面の反射率よりも高くすることによって、飛躍的に改善される。
【００１７】
図３は、図１および図２に示す発光装置に用いられるサブマウント２０の構造例を示す断面図である。サブマウント２０において、透明な板材２１の素材には、単結晶サファイア基板、単結晶ＡｌＮ基板、単結晶ＳｉＣ基板、石英基板、ガラス基板などを用いることができる。板材２１の形状およびサイズは、その上に固定するＧａＮ系ＬＥＤチップ３０のサイズ、個数、配置など、および、実装用部材側の構造を考慮して、適宜、設定することができる。例えば、０．３５ｍｍ角のＬＥＤチップひとつを実装するためのサブマウントに用いる透明な板材として、０．５ｍｍ角〜５ｍｍ角の板材を用いることができる。板材２１のサイズをＬＥＤチップ３０のサイズよりも小さくすると、ＬＥＤチップ３０の板材２１上への固定が難しくなるために、発光装置の生産性が低くなる。板材２１の厚さは特に限定されるものではなく、例えば、０．１ｍｍ〜１ｍｍとすることができる。
【００１８】
透明な板材２１は、好ましくは、そのおもて面２１ａの表面粗度を、裏面２１ｂの表面粗度よりも大きくする。このようにすると、ＧａＮ系ＬＥＤチップ３０のエピタキシャル膜３２内で発生し、透明な素子基板３１を通して板材２１の内部に伝播した光は、板材２１の裏面２１ｂでは反射され易くなり、その逆に、おもて面２１ａでは反射され難くなる。その結果として、光が板材２１のおもて面ａ側から板材２１の外部に放射される確率が高くなる。
【００１９】
好適な実施形態では、透明な板材２１のおもて面２１ａにテクスチャ化加工を施して、その表面粗度を高くしてもよい。好ましくは、テクスチャ化加工によって、該おもて面２１ａに、深さ０．１μｍ以上の凹部および／または高さ０．１μｍ以上の凸部が密に分散した微細構造を形成する。
一例では、被加工面上にポリマー、金属などからなるミクロンオーダーまたはサブミクロンオーダーの粒径を有する微粒子を堆積し、これをマスクとしてドライエッチング加工を行うことにより、被加工面をテクスチャ化する。被加工面とともにマスクもエッチングされる条件を用いることにより、被加工面は錐体状の突起が無数に形成された凹凸面となる。この方法におけるマスクとして、ドライエッチング装置をデポモードで運転することにより被加工面上に堆積する、エッチングガスの成分が重合してなる微粒子を用いることもできる。
他の一例として、フォトリソグラフィ技法やナノインプリント技法を用いてパターニングしたマスクを被加工面上に形成し、その上からエッチングをすることによって、被加工面をテクスチャ化することもできる。この方法に用いるマスク材料、マスクのパターニング方法、エッチング方法の詳細については、公知技術を参照することができる。
機械的なテクスチャ化加工法を採用することもできる。その一例として、粗い砥粒を用いて被加工面を研削する方法や、サンドブラストが挙げられる。
透明な板材２１のおもて面２１ａは、テクスチャ化加工によって、いわゆるモス−アイ構造と呼ばれる微細構造を備えた凹凸面としてもよい。
【００２０】
好適な実施形態では、透明な板材２１の裏面２１ｂに平坦化処理を施して、その表面粗度を低くしてもよい。特に、透明な板材２１の素材として結晶基板を用いる場合に、この平坦化処理を行うことが好ましい。結晶基板はガラス基板に比べると表面の平坦性が低いからである。
平坦化処理の一例は、平坦化すべき表面をポリッシングにより平坦化する処理である。好ましいポリッシングの方法は、ＣＭＰ（Chemical Mechanical Polishing）である。
平坦化処理の他の一例は、平坦化すべき基板表面に、平坦化膜として、透明なアモルファス薄膜を形成する処理である。好ましい平坦化膜として、プラズマＣＶＤ法により形成される、酸化ケイ素、窒化ケイ素、酸窒化ケイ素、ＰＳＧ（Phospho  Silicate  Glass）、ＢＰＳＧ（Boro-Phospho  Silicate  Glass）などの薄膜が例示される。平坦化膜はスピンオングラス（ＳＯＧ）で形成することもできる。平坦化膜の表面の平坦性を、ポリッシングによって更に高めることができる。ＰＳＧ、ＢＰＳＧなどからなる平坦化膜の表面の平坦性は、リフローによって更に高めることができる。
平坦化膜は、ポリッシングにより平坦化した結晶基板の表面上に、更にその平坦性を高めるために、形成することもできる。
【００２１】
図３の例では、反射膜Ｒが、板材２１の裏面２１ｂに接する側から順に、反射面を与える層である反射層Ｒ１と、保護層Ｒ２とを有する、多層膜となっている。反射層Ｒ１は光反射性の良好な金属である、Ａｌ、Ａｇ、白金族元素（好ましくはＲｈ）、Ｎｉなどを用いて形成する。反射層Ｒ１と板材２１との間には、反射膜Ｒの板材２１への密着性を良くするための密着層として、Ｎｉ、Ｔｉ、Ｃｏ、Ｃｒ、Ｐｔ、Ｗ、Ｔｉ−Ｗなどからなる薄膜（図示せず）を挟んでもよい。この密着層の膜厚は、好ましくは５ｎｍ以下、より好ましくは２ｎｍ以下、特に好ましくは１ｎｍ以下である。保護層Ｒ２は、サブマウント２０をパッケージ基板１１や銅ベース基板１２に固定するのに用いる接着剤と、反射層Ｒ１との間で、反応が起こったり、一方の材料が他方に拡散することを防止するための層である。特に、接着剤としてハンダなどのろう材を用いる場合に、この保護層Ｒ２を設けることが好ましい。保護層Ｒ２は、高融点金属または白金族元素から選ばれる金属の単体または合金の他、Ｎｉ、Ｔｉ、Ｃｏ、Ｃｒ、Ｔｉ−Ｗなどを用いて形成することができる。また、これらの材料を用いた多層膜とすることもできる。保護層Ｒ２の膜厚は１００ｎｍ以上とすることが好ましい。
【００２２】
反射膜Ｒは、板材２１の裏面２１ｂと接する部分に透明な誘電体膜を含んでいてもよい。この誘電体膜は、単層膜であってもよいし、多層膜であってもよい。いずれの場合も、当該誘電体膜に垂直に入射する、ＧａＮ系ＬＥＤチップの主発光波長と同じ波長を有する光に対し、選択反射性を示すように、この誘電体膜の設計を行うことが望ましい。このような誘電体膜の設計は、公知の光学薄膜の設計技法を参照して行うことができる。また、板材２１とこの誘電体膜との界面で全反射が発生し得るように、この誘電体膜は板材２１の主材料よりも屈折率の低い材料で形成することが望ましい。
【００２３】
サブマウント２０は、単結晶サファイア、単結晶ＡｌＮ、単結晶ＳｉＣ、石英、ガラスなどからなるウェハサイズの透明基板に対し、必要な加工（テクスチャ化加工、平坦化処理、反射膜の形成など）を施すステップと、ダイシング、スクライビング、レーザ加工などといった公知の基板切断技法を用いて、この基板をサブマウントのサイズに切り分けるステップとを、この順に実行することにより、製造することができる。好ましくは、ウェハサイズの基板を切り分けるステップでは、ダイヤモンドなどからなる針を用いて機械的に基板表面にスクライブ線を形成することにより、該基板を破断する方法を用いる。この方法を用いると、熱や光の作用により光吸収性の変質部分が生じることがなく、かつ、破断面の形状が光の透過し易い凹凸面となるために、発光装置の出力を向上させるうえで好ましいサブマウントを得ることができる。
他の手順として、ウェハサイズの透明基板をサブマウントのサイズに切り分けるステップを実行する前に、この基板上にＧａＮ系ＬＥＤチップを固定するステップを実行することもできる。
【００２４】
図４は、図１および図２に示す発光装置に用いられるＧａＮ系ＬＥＤチップ３０の構造例を示す断面図である。ＧａＮ系ＬＥＤチップ３０において、素子基板３１はサファイアからなり、その上にはバッファ層（図示せず）を介してＧａＮ系半導体のエピタキシャル膜３２が形成されている。エピタキシャル膜３２は、素子基板３１側から順に、アンドープＧａＮ層３２１、ＳｉドープＧａＮからなるｎ型コンタクト層３２２、ＩｎＧａＮ／ＧａＮ交互積層膜からなるＭＱＷ構造の活性層３２３、ＭｇドープＡｌＧａＮからなるｐ型クラッド層３２４、ＭｇドープＧａＮからなるｐ型コンタクト層３２５を、この順に含んでいる。エピタキシャル膜３２の形成には、公知のＭＯＶＰＥ技術を用いることができる。ｐ型コンタクト層３２５の表面には、オーミック電極としてＴＣＯからなる透明電極３３ａが形成され、該透明電極３３ａ上の一部に正側のボンディングパッド３３ｂが形成されている。ＲＩＥにより部分的に露出させたｎ型コンタクト層３２２の表面にも、オーミック電極としてＴＣＯからなる透明電極３４ａが形成され、その一部上に、負側のボンディングパッド３４ｂが形成されている。透明電極に用いることのできるＴＣＯとしては、ＩＴＯ（インジウム錫酸化物）、酸化インジウム、酸化錫、ＩＺＯ（インジウム亜鉛酸化物）、ＡＺＯ（アルミニウム亜鉛酸化物）、酸化亜鉛、ＦＴＯ（フッ素ドープ酸化錫）などが例示される。
【００２５】
本発明は、本明細書に明示的に記載した実施形態に限定されるものではなく、発明の趣旨を損なわない範囲内で、種々の変形が可能である。
【図面の簡単な説明】
【００２６】
【図１】本発明の一実施形態に係る発光装置の構造を示す断面図である。
【図２】本発明の一実施形態に係る発光装置の構造を示す断面図である。
【図３】図１および図２に示す発光装置に用いられるサブマウントの構造例を示す断面図である。
【図４】図１および図２に示す発光装置に用いられるＧａＮ系ＬＥＤチップの構造例を示す断面図である。
【符号の説明】
【００２７】
１００、２００  発光装置
１１  パッケージ
１２  銅ベース基板
２０  サブマウント
２１  透明な板材
２１ａ  おもて面
２１ｂ  裏面
Ｒ  反射膜
３０  ＧａＮ系ＬＥＤチップ
３１  素子基板
３２  エピタキシャル膜
４０  ボンディングワイヤ
【図１】
2009123909.tif 000003
【図２】
2009123909.tif 000004
【図３】
2009123909.tif 000005
【図４】
2009123909.tif 000006